(57)【要約】【課題】暖かい空気の循環に優れ、室外の冷気が室内に侵入することのないガラリ付き扉を提供すること。【解決手段】左右の竪枠２ａ、２ａと、上枠２ｂ及び下枠２ｃとからなる外枠２と、ガラリ６を取り付けるための取付補強材３とからなるガラリ付き扉において、取付補強材３のうち下取付補強材３ｃを扉の高さＨの１／２以上の高さ位置に配設する。【選択図】図１
2008280812.tif 000002
【特許請求の範囲】
【請求項１】
左右の竪枠と、上枠及び下枠とからなる外枠と、ガラリを取り付けるための取付補強材とからなるガラリ付き扉において、取付補強材のうち下取付補強材を扉の高さの１／２以上の高さ位置に配設したことを特徴とするガラリ付き扉。
【請求項２】
ガラリの形状を、断面Ｖ字状の複数の羽根を平行に連装した形状としたことを特徴とする請求項１記載のガラリ付き扉。
【発明の詳細な説明】
【技術分野】
【０００１】
本発明は、ガラリ付き扉に関し、特に、暖かい空気の循環を良好に行うことのできるガラリ付き扉に関するものである。
【背景技術】
【０００２】
ガラリ付き扉１０は、図６に示すように、左右の竪枠２ａ、２ａと、上枠２ｂ及び下枠２ｃとからなる外枠２と、ガラリ１１を取り付けるための取付補強材３とからなり外枠２の内側にハニカム等からなる芯材５を充填し、扉の表面を覆うように表面材４を貼り合わせて構成されている。
そして、ガラリ付き扉１０に取り付けられるガラリ１１は、通常、扉の下方に組み込まれた取付補強材３にガラリ枠１３を介して配設され、その上端は扉高さの１／２を越えることはない。
これは、ガラリ内を反射して通過する光が目線の高さに来ることを避けるために採られる措置で、通常、ガラリ１１の形状は、図７に示すように、断面逆Ｖ字状の複数の羽根１２を平行に連装し、室内の灯りは室外へ、室外の灯りは室内へ光が矢符Ｂのように通過し、室内の灯りは、室外となる廊下側や通路側では足下を照らすようになっている。
【０００３】
ところで、室内外の空気循環、例えば、室内に籠もった暖かい空気を室外に排出する場合や、病院や老健施設等のように室内外を同温度に保つことが必要な場合等においては、ガラリを扉の下方に配設すると、暖かい空気は室内の上方へたまりやすく循環しにくいといった問題があった。
【０００４】
また、学校用間仕切りとして、ガラリ付き扉１０を使用する場合、下方に配設したガラリでは、低い位置にあるため児童の悪戯によって足蹴にされ破損することが多く、さらに、山間部の学校においては、廊下の冷気が風や空気の流れによって室内に流れ込みやすく、冬場にはガラリ部分を段ボール等で塞ぎ冷気の侵入を防止するなどの手段が採られ、手数を要するとともに、室内外の空気の循環もできず意匠的にも見栄えの悪い扉になるといった問題があった。
【発明の開示】
【発明が解決しようとする課題】
【０００５】
本発明は、上記従来のガラリ付き扉が有する問題点に鑑み、暖かい空気の循環に優れ、室外の冷気が室内に侵入することのないガラリ付き扉を提供することを目的とする。
【課題を解決するための手段】
【０００６】
上記目的を達成するため、本発明のガラリ付き扉は、左右の竪枠と、上枠及び下枠とからなる外枠と、ガラリを取り付けるための取付補強材とからなるガラリ付き扉において、取付補強材のうち下取付補強材を扉の高さの１／２以上の高さ位置に配設したことを特徴とする。
【０００７】
この場合において、ガラリの形状を、断面Ｖ字状の複数の羽根を平行に連装した形状とすることができる。
【発明の効果】
【０００８】
本発明のガラリ付き扉は、左右の竪枠と、上枠及び下枠とからなる外枠と、ガラリを取り付けるための取付補強材とからなるガラリ付き扉において、取付補強材のうち下取付補強材を扉の高さの１／２以上の高さ位置に配設するようにしたから、上方を循環する暖かい空気の循環に優れ、下方を循環する冷気が室内に侵入すること有効に防止するガラリ付き扉を提供することができる。
【０００９】
また、ガラリの断面形状を、Ｖ字状にするときは、ガラリを通過する室内外の灯りの漏れが目線の高さに漏れることを防止することができる。
【発明を実施するための最良の形態】
【００１０】
以下、本発明のガラリ付き扉の実施の形態を、図面に基づいて説明する。
【実施例１】
【００１１】
図１〜図４に、本発明のガラリ付き扉の実施例を示す。
【００１２】
このガラリ付き扉１は、上吊り式、下レール式、丁番等を軸として揺動する開き扉として利用することができ、従来例と同様、左右の竪枠２ａ、２ａと、上枠２ｂ及び下枠２ｃとからなる外枠２と、ガラリ６を取り付けるための取付補強材３とからなり外枠２の内側にハニカム等からなる芯材５を充填し、扉の表面に表面材４を貼り合わせて構成され、取付補強材３のうち下取付補強材３ｃを扉の高さＬの１／２以上の高さ位置に配設するようにしている。
【００１３】
外枠２を構成する各部材の材質は、特に限定されず、例えば、アルミ材、鋼材や木材を利用することができる。
【００１４】
ガラリ６を取り付けるための取付補強材３は、図２に示すように、竪取付補強材３ａ、３ａと、上取付補強材３ｂ及び下取付補強材３ｃを枠組みして使用する。
このとき、上取付補強材３ｂ及び下取付補強材３ｃを図１の破線で示すように、竪枠２ａ、２ａと連結して使用することもできる。
【００１５】
そして、ガラリ付き扉１の組み立てに際しては、外枠２と取付補強材３との空間に芯材５を配設し、表面材４を両面に取り付ける。
その後、ガラリ枠６３を介して、ガラリ６をビス等の固着手段で取付補強材３に取り付ける。
【００１６】
芯材５は、その材質を特に限定されず、通常、紙製又は合成樹脂製のハニカム材やウレタンを充填して使用する。
【００１７】
ガラリ６の形状は、断面Ｖ字状の複数の羽根６０を平行に連装するようにしている。
これによって、室内の灯りは室外へ、室外の灯りは室内へ光が図３に示す矢符Ａのように通過し、目線の高さＨを照らすことがない。
【００１８】
羽根６０は、図３（ａ）、図３（ｂ）に示すように、アルミ製のガラリとするときには、Ｖ字状の下側の頂点から下方に向かって、突出した垂直部６１を形成し、垂直部６１の下端が、直下に位置する羽根６０の両側辺６２の下端よりも下方となるようにして、室内外の灯りが直接漏れることを防止するようにしている。また、垂直部６１の下端を長くし、間隔をあけて取り付けることにより羽根６０の枚数を削減することができる。
【００１９】
ガラリ６は、図３（ｃ）に示すように、木製のガラリとすることもできる。
この場合、羽根６０を取り付ける間隔を狭くし、羽根６０のＶ字状の下側の頂点部分が、直下の羽根６０のＶ字状の上端に係るように配設して、室内外の灯りが直接漏れることを防止するようにしている。
【００２０】
また、図４に示すように、ガラリ付き扉１には、ガラリ６のほかに扉の表面に小窓Ｗを配設することもできる。
【００２１】
しかして、本発明のガラリ付き扉１では、ガラリ６を取り付けるための取付補強材３の下取付補強材３ｃを扉の高さＬの１／２以上の高さ位置に、より好ましくは、扉の高さＬの２／３以上の高さ位置に取り付けるようにしているから、室内外の暖かい空気の循環に優れ、また、山間部の学校等、冬場に室外の冷気が室内に侵入することを効果的に防止することができる。
また、外枠２の内側に芯材５を充填した扉にも適用することができるほか、図５に示すように、扉の表面に表面材４を貼り付けることなく、木製の板材を組み立てて構成する所謂框扉にも適用することができ、框扉に適用する場合、外枠２０のうち上枠２０ｂはガラリ取り付け用の上取付補強材３ｂを兼用することができる。
この場合、ガラリ６を上枠２０ｂの横幅と同一とするときは竪取付補強材３ａを外枠２０の竪枠２０ａと兼用することができる。
【００２２】
以上、本発明のガラリ付き扉について、その実施例に基づいて説明したが、本発明は上記実施例に記載した構成に限定されるものではなく、その趣旨を逸脱しない範囲において適宜その構成を変更することができるものである。
【産業上の利用可能性】
【００２３】
本発明のガラリ付き扉は、暖かい空気の循環に優れ、室外の冷気が室内に侵入することがないという特性を有していることから、特に、学校用の間仕切りや老健施設の間仕切りにしようする扉として好適に用いることができる。
また、適用対象も、新規の間仕切りに使用するほか、既設の間仕切りに対しても、扉の取り替えによって適用を可能にすることができる。
【図面の簡単な説明】
【００２４】
【図１】本発明のガラリ付き扉を示す正面図である。
【図２】同ガラリ付き扉の表面材を取り付ける前の状態を示す一部切り欠きの正面図である。
【図３】同ガラリ付き扉のガラリ部分を示す側面図で、（ａ）は図１のＸ−Ｘ断面図を、（ｂ）は（ａ）のＹ部拡大図を、（ｃ）は図１のＸ−Ｘ断面に対応するガラリの別の断面図を示す。
【図４】本発明のガラリ付き扉の別の実施例を示す正面図である。
【図５】本発明のガラリ付き扉の別の実施例を示す正面図である。
【図６】従来のガラリ付き扉を示す正面図である。
【図７】同ガラリ付き扉のガラリ部分を示す、図６のＺ−Ｚ断面図である。
【符号の説明】
【００２５】
１    ガラリ付き扉
２    外枠
２ａ  竪枠
２ｂ  上枠
２ｃ  下枠
３    取付補強材
３ｃ  下取付補強材
４    表面材
６    ガラリ
６０  羽根
【図１】
2008280812.tif 000003
【図２】
2008280812.tif 000004
【図３】
2008280812.tif 000005
【図４】
2008280812.tif 000006
【図５】
2008280812.tif 000007
【図６】
2008280812.tif 000008
【図７】
2008280812.tif 000009